(57)【要約】【課題】ユーザ操作に基づく衝撃を検知した場合であっても、不要に走行情報を生成するのを好適に抑制することが可能な情報生成装置を提供する。【解決手段】ナビゲーション装置１は、車両に搭載され、基準対象移動判定部１６と、制御部１９とを備える。基準対象移動判定部１６は、搭乗者によるナビゲーション装置１への接触の有無を判定する。制御部１９は、車両に加わる加速度を検出する加速度センサ６により検出された加速度と、基準対象移動判定部１６の判定結果とに基づき、車両の走行状態に関連する事故情報Ｉａを生成してサーバ装置７へ送信する。この場合、制御部１９は、基準対象移動判定部１６によりナビゲーション装置１への接触があると判定された際に加速度センサ６により検出された加速度に基づく事故情報Ｉａの生成及び送信を行わない。【選択図】図３
2019194925.tif 000002
【特許請求の範囲】
【請求項１】
車両に搭載される情報生成装置であって、
前記情報生成装置への接触の有無を判定する判定手段と、
前記車両に加わる加速度を検出する加速度センサにより検出された加速度と、前記判定手段の判定結果とに基づき、前記車両の走行状態に関連する情報である走行情報を生成する生成手段と、
を備え、
前記生成手段は、前記判定手段により前記情報生成装置への接触があると判定された際に前記加速度センサにより検出された加速度に基づく前記走行情報を生成しないことを特徴とする情報生成装置。
【発明の詳細な説明】
【技術分野】
【０００１】
本発明は、車両の走行情報を生成する技術に関する。
【背景技術】
【０００２】
従来から、車両に事故が発生した際に当該車両の位置情報などを含む事故情報を所定のサーバ装置へ無線送信する車載機が知られている。例えば、特許文献１には、車両への衝撃を検知する衝撃検知センサが車両への衝撃を検知したときに車両の位置などの走行情報を通報する車両事故通報装置が開示されている。また、特許文献２には、ハーフミラー、液晶ディスプレイ、及び車両前方を撮影するカメラユニットを備え、ルームミラーに対して取り付け自在なドライブレコーダが開示されている。
【先行技術文献】
【特許文献】
【０００３】
【特許文献１】特開２００１−２６６２９４号公報
【特許文献２】特開２０１４−２２９０４９号公報
【発明の概要】
【発明が解決しようとする課題】
【０００４】
特許文献１に示されるような事故通知機能を特許文献２に示されるようなルームミラー取付型のドライブレコーダに付加した場合、運転者がルームミラーの角度を調整したときに所定以上の衝撃がルームミラーに加わると、事故とは関係がない不要な走行情報を通報することになる。
【０００５】
本発明は、上記のような課題を解決するためになされたものであり、ユーザ操作に基づく衝撃を検知した場合であっても、不要に走行情報を生成するのを好適に抑制することが可能な情報生成装置を提供することを主な目的とする。
【課題を解決するための手段】
【０００６】
請求項に記載の発明は、車両に搭載される情報生成装置であって、前記情報生成装置への接触の有無を判定する判定手段と、前記車両に加わる加速度を検出する加速度センサにより検出された加速度と、前記判定手段の判定結果とに基づき、前記車両の走行状態に関連する情報である走行情報を生成する生成手段と、を備え、前記生成手段は、前記判定手段により前記情報生成装置への接触があると判定された際に前記加速度センサにより検出された加速度に基づく前記走行情報を生成しないことを特徴とする。
【０００７】
また、請求項に記載の発明は、車両に搭載される情報生成装置が実行する制御方法であって、前記情報生成装置への接触の有無を判定する判定工程と、前記車両に加わる加速度を検出する加速度センサにより検出された加速度と、前記判定工程での判定結果とに基づき、前記車両の走行状態に関連する情報である走行情報を生成する生成工程と、を有し、前記生成工程では、前記判定工程により前記情報生成装置への接触があると判定された際に前記加速度センサにより検出された加速度に基づく前記走行情報を生成しないことを特徴とする。
【０００８】
また、請求項に記載の発明は、車両に搭載される情報生成装置を制御するコンピュータが実行するプログラムであって、前記情報生成装置への接触の有無を判定する判定手段と、前記車両に加わる加速度を検出する加速度センサにより検出された加速度と、前記判定手段の判定結果とに基づき、前記車両の走行状態に関連する情報である走行情報を生成する生成手段として前記コンピュータを機能させ、前記生成手段は、前記判定手段により前記情報生成装置への接触があると判定された際に前記加速度センサにより検出された加速度に基づく前記走行情報を生成しないことを特徴とする。
【図面の簡単な説明】
【０００９】
【図１】ナビゲーション装置の構成である。
【図２】第１実施例に係るナビゲーション装置のブロック図である。
【図３】事故情報通知処理の手順を示すフローチャートである。
【図４】基準対象物の移動検知方法を説明する図である。
【図５】第２実施例に係るナビゲーション装置のブロック図である。
【図６】路面評価情報の生成方法の具体例を説明する図である。
【発明を実施するための形態】
【００１０】
本発明の１つの好適な実施形態では、車両に搭載される情報生成装置であって、前記情報生成装置への接触の有無を判定する判定手段と、前記車両に加わる加速度を検出する加速度センサにより検出された加速度と、前記判定手段の判定結果とに基づき、前記車両の走行状態に関連する情報である走行情報を生成する生成手段と、を備え、前記生成手段は、前記判定手段により前記情報生成装置への接触があると判定された際に前記加速度センサにより検出された加速度に基づく前記走行情報を生成しない。
【００１１】
上記情報生成装置は、車両に搭載され、判定手段と、生成手段とを備える。判定手段は、情報生成装置への接触の有無を判定する。生成手段は、車両に加わる加速度を検出する加速度センサにより検出された加速度と、判定手段の判定結果とに基づき、車両の走行状態に関連する情報である走行情報を生成する。生成手段は、判定手段により情報生成装置への接触があると判定された際に前記加速度センサにより検出された加速度に基づく走行情報を生成しない。このようにすることで、情報生成装置は、情報生成装置への接触に起因して生じた加速度に基づき走行情報を生成するのを好適に抑制することができる。
【００１２】
上記情報生成装置の一態様では、前記車両のルームミラーに内蔵され、またはルームミラーに取り付けられる。この態様では、ルームミラーの角度調整操作により加速度センサが衝撃を検知することが起こり得る。この場合であっても、情報生成装置は、ルームミラーの角度調整操作に起因して生じた加速度に基づき走行情報を生成するのを好適に抑制することができる。
【００１３】
上記情報生成装置の他の一態様では、前記生成手段は、前記加速度センサが基準値以上の加速度を検出し、かつ、前記判定手段により前記情報生成装置への接触がないと判定された場合に、前記車両の事故に関連する情報を前記走行情報として生成する。この態様により、情報生成装置は、情報生成装置への接触に起因して生じた加速度に基づき事故に関する情報を誤送信するのを好適に抑制することができる。
【００１４】
上記情報生成装置の他の一態様では、前記生成手段は、前記加速度センサにより検出された加速度に基づいて、前記車両が走行した道路の路面の凹凸に関する評価情報を前記走行情報として所定の道路区間ごとに生成するものであって、前記判定手段により前記情報生成装置への接触があると判定された際に走行していた道路区間についての前記走行情報を生成しない。この態様では、情報生成装置への接触に起因して生じた加速度に基づき走行した道路路面の評価情報を生成するのを確実に抑制することができる。
【００１５】
上記情報生成装置の他の一態様では、前記判定手段は、前記情報生成装置への接触を検出する接触センサの出力に基づいて、前記情報生成装置への接触を判定する。この態様により、情報生成装置は、搭乗者による情報生成装置への接触を好適に検知することができる。
【００１６】
上記情報生成装置の他の一態様では、情報生成装置は、前記情報生成装置とともに回転し、前記車両の前方風景を撮影する撮影手段と、前記車両が走行中において前記撮影手段により撮影された前記前方画像を解析し、当該前方画像に含まれ、前記車両の一部となる対象物を特定する特定手段と、をさらに備え、前記判定手段は、前記特定手段により特定された対象物の前記前方画像中の位置の変化に基づいて前記情報生成装置への接触の有無を判定する。情報生成装置は、この態様によっても、搭乗者による情報生成装置への接触を好適に検知することができる。
【００１７】
上記情報生成装置の他の一態様では、情報生成装置は、前記走行情報を前記車両の外部に存在する外部装置へ送信する送信手段をさらに備える。この態様により、情報生成装置は、走行情報を収集する外部装置に、情報生成装置が搭載される車両の走行状態に基づく走行情報を好適に送信することができる。
【００１８】
本発明に係る他の実施形態では、車両に搭載される情報生成装置が実行する制御方法であって、前記情報生成装置への接触の有無を判定する判定工程と、前記車両に加わる加速度を検出する加速度センサにより検出された加速度と、前記判定工程での判定結果とに基づき、前記車両の走行状態に関連する情報である走行情報を生成する生成工程と、を有し、前記生成工程では、前記判定工程により前記情報生成装置への接触があると判定された際に前記加速度センサにより検出された加速度に基づく前記走行情報を生成しない。情報生成装置は、この制御方法を実行することで、情報生成装置への接触に起因して生じた加速度に基づき走行情報を生成するのを好適に抑制することができる。
【００１９】
本発明に係る他の実施形態では、車両に搭載される情報生成装置を制御するコンピュータが実行するプログラムであって、前記情報生成装置への接触の有無を判定する判定手段と、前記車両に加わる加速度を検出する加速度センサにより検出された加速度と、前記判定手段の判定結果とに基づき、前記車両の走行状態に関連する情報である走行情報を生成する生成手段として前記コンピュータを機能させ、前記生成手段は、前記判定手段により前記情報生成装置への接触があると判定された際に前記加速度センサにより検出された加速度に基づく前記走行情報を生成しない。コンピュータは、このプログラムを実行することで、情報生成装置への接触に起因して生じた加速度に基づき走行情報を生成するのを好適に抑制することができる。好適には、上記プログラムは、記憶媒体に記憶される。
【実施例】
【００２０】
以下、図面を参照して本発明の好適な実施例について説明する。以後において、「撮影方向」とは、カメラの正面となる方向であって、カメラの視野（撮影範囲）の中心を通る方向を指すものとする。
【００２１】
＜第１実施例＞
［ナビゲーション装置の構成］
図１は、実施例に係るナビゲーション装置１の構成を示す。具体的には、図１（Ａ）は、ナビゲーション装置１が車室内のルームミラー１２に装着された状態（単に「装着状態」とも呼ぶ。）における正面図を示し、図１（Ｂ）は、装着状態におけるナビゲーション装置１の背面図を示し、図１（Ｃ）は、装着状態におけるナビゲーション装置１の上面図を示す。以後では、ナビゲーション装置１の長手方向を「Ｙ軸方向」、ナビゲーション装置１の短手方向を「Ｘ軸方向」、Ｘ軸及びＹ軸と垂直な方向を「Ｚ軸方向」とし、各正方向を図のように定める。
【００２２】
図１に示すナビゲーション装置１は、内蔵二次電池により駆動され、主に、ミラー部１３と、前方撮影カメラ４と、ミラー部１３の背面に存在するディスプレイ（表示手段）１０と、挟持部１４Ａ〜１４Ｄとを有する。そして、ナビゲーション装置１は、装着状態において、挟持部１４Ａ〜１４Ｄがルームミラー１２を挟持することでルームミラー１２に対して固定される。そして、ナビゲーション装置１の装着状態では、ルームミラー１２の鏡面と、ナビゲーション装置１の背面とが重なる。ナビゲーション装置１は、本発明における「情報生成装置」の一例である。
【００２３】
前方撮影カメラ４は、車両の前方を撮影した画像（「前方画像Ｉｍ」とも呼ぶ。）を生成するためのカメラであり、ナビゲーション装置１の装着状態において、ルームミラー１２と重ならないナビゲーション装置１の背面部分に配置される。また、前方撮影カメラ４は、ナビゲーション装置１の筺体内に回転可能に収容されており、図示しないリモートコントローラ等への操作に基づき、撮影方向が調整される。
【００２４】
ミラー部１３は、例えばハーフミラーであって、入射した一部の光を透過させ、その他の光を反射させる。これにより、ミラー部１３は、背面にあるディスプレイ１０が非発光状態では車両の後方風景を映す通常のミラーとして機能し、ディスプレイ１０が発光状態では、ディスプレイ１０から出射された光を透過させることで、運転者にディスプレイ１０の表示内容を視認させる。ディスプレイ１０は、前方撮影カメラ４が撮影した前方画像Ｉｍに、運転者を案内するための文字や図形などを表す案内画像を重畳させて表示する。図１（Ａ）では、ディスプレイ１０は、車速を表す案内画像と、点灯した信号灯を強調した四角枠の案内画像とを、前方画像Ｉｍに重畳して表示している。
【００２５】
ナビゲーション装置１は、前方画像Ｉｍを対象とした画像認識処理により、車線、信号機の点灯状態、先行車両などを検知し、検知結果に基づくテキスト画像や図形画像などを前方画像Ｉｍに重ねて表示したり、音声情報を出力したりする。また、ナビゲーション装置１は、後述するように、衝撃を検知した際に撮影された前方画像Ｉｍを記録するドライブレコーダとして機能する。
【００２６】
図２は、ナビゲーション装置１の機能ブロック図である。図２に示すように、ナビゲーション装置１は、前方撮影カメラ４と、現在位置検出部５と、加速度センサ６と、送信部９と、ディスプレイ１０と、画像バッファ部１１と、不揮発性メモリ１５と、基準対象移動判定部１６と、制御部１９とを備える。
【００２７】
現在位置検出部５は、例えばＧＰＳ受信機であり、車両の現在位置を示す情報を制御部１９に供給する。加速度センサ６は、Ｘ軸、Ｙ軸、及びＺ軸の３軸方向の加速度を検出し、その検出信号を制御部１９へ供給する。
【００２８】
不揮発性メモリ１５は、例えばＳＤカードなどの記憶媒体であり、制御部１９の制御に基づき、前方撮影カメラ４が生成した前方画像Ｉｍ等を記憶する。
【００２９】
基準対象移動判定部１６は、前方撮影カメラ４の撮影範囲内に存在する車両の一部（「基準対象物Ｔａｇ」とも呼ぶ。）の前方画像Ｉｍ中での移動の有無を判定する。そして、基準対象移動判定部１６は、基準対象物Ｔａｇが前方画像Ｉｍ中で所定距離以上移動した場合に、ルームミラー１２の角度（「ミラー角」とも呼ぶ。）を変更するために搭乗者がルームミラー１２に触れたと判断する。基準対象移動判定部１６の処理の詳細については、［基準対象物の移動検知］のセクションで説明する。
【００３０】
制御部１９は、所定時間分の前方画像Ｉｍを画像バッファ部１１に上書きし、加速度センサ６により基準値以上の加速度（即ち衝撃）を検出した場合に、画像バッファ部１１に保存した所定時間分（概ね１０〜１００秒程度）の前方画像Ｉｍを不揮発性メモリ１５に書き込む。さらに、制御部１９は、この場合、事故が発生した旨を通知する情報（「事故情報Ｉａ」とも呼ぶ。）を、ネットワークを介して接続する外部装置であるサーバ装置７へ送信する。ここで、事故情報Ｉａは、上述の基準値以上の加速度を検知したときに現在位置検出部５が測定した車両位置、当該加速度を検知した時刻、及びナビゲーション装置１が搭載される車両ナンバーなどの情報を含む。また、本実施例では、制御部１９は、基準対象移動判定部１６の判定結果に基づき、検知した基準値以上の加速度がルームミラー１２への搭乗者の接触に起因して発生した加速度であると判断した場合には、前方画像Ｉｍの不揮発性メモリ１５への保存処理や事故情報Ｉａの送信処理を行わない。
【００３１】
なお、ナビゲーション装置１は、図２に示す各要素に加え、音声出力部などをさらに備えてもよい。基準対象移動判定部１６は、本発明における「特定手段」及び「判定手段」、制御部１９は、本発明における「生成手段」の一例である。また、基準対象移動判定部１６及び制御部１９は、例えばＣＰＵであり、本発明におけるプログラムを実行する「コンピュータ」の一例である。
【００３２】
［処理フロー］
図３は、前方画像Ｉｍの不揮発性メモリ１５への書き込み処理及び事故情報Ｉａの送信処理に関する手順を示すフローチャートである。制御部１９は、図３のフローチャートの処理を、繰り返し実行する。
【００３３】
まず、制御部１９は、基準値以上の加速度が加速度センサ６により検出されたか否か判定する（ステップＳ１０１）。ここで、「基準値」は、車両の衝突等の事故が発生した際に生じる加速度を勘案して設定される。この場合、制御部１９は、ＸＹＺ軸の各加速度のうち最も大きい加速度と基準値とを比較してもよく、３次元空間における加速度のベクトル長と基準値とを比較してもよい。そして、基準値以上の加速度が検出されない場合（ステップＳ１０１；Ｎｏ）、制御部１９は、引き続きステップＳ１０１で加速度センサ６が検出する加速度を監視する。
【００３４】
そして、基準値以上の加速度が加速度センサ６により検出された場合（ステップＳ１０１；Ｙｅｓ）、基準対象移動判定部１６は、上記加速度が加速度センサ６により検出された時刻と略同時に前方画像Ｉｍでの基準対象物Ｔａｇの位置が変化したか否か判定する（ステップＳ１０２）。具体的には、基準対象移動判定部１６は、基準値以上の加速度が検知される前の前方画像Ｉｍと現在取得した前方画像Ｉｍとを比較することで、基準対象物Ｔａｇの位置変化の有無を所定期間監視する。上記所定期間は、例えば、ステップＳ１０１で基準値以上の加速度が検知した時刻を含む１秒以内の期間に設定される。
【００３５】
そして、加速度センサ６により基準値以上の加速度が検出された時刻と略同時に前方画像Ｉｍでの基準対象物Ｔａｇの位置が変化したと基準対象移動判定部１６が判断した場合（ステップＳ１０２；Ｙｅｓ）、制御部１９は、不揮発性メモリ１５への書き込みをせず、事故情報Ｉａをサーバ装置７へ送信する処理も実行しない（ステップＳ１０３）。即ち、この場合、制御部１９は、搭乗者がミラー角を調整した際の衝撃により基準値以上の加速度が検出され、事故は発生していないと判断し、事故発生時に実行すべき処理は行わない。これにより、制御部１９は、不揮発性メモリ１５への不要な前方画像Ｉｍの書込み及びサーバ装置７への不要な事故情報Ｉａの送信を防ぐことができる。
【００３６】
一方、加速度センサ６により基準値以上の加速度が検出された時刻と略同時に前方画像Ｉｍでの基準対象物Ｔａｇの位置が変化していないと基準対象移動判定部１６が判断した場合（ステップＳ１０２；Ｎｏ）、制御部１９は、事故が発生したと判断する。よって、この場合、制御部１９は、事故情報Ｉａを生成してサーバ装置７へ送信すると共に、画像バッファ部１１に記憶された前方画像Ｉｍを不揮発性メモリ１５へ記録する処理を実行する（ステップＳ１０４）。
【００３７】
［基準対象物の移動検知］
次に、図３のステップＳ１０２で基準対象移動判定部１６が実行する処理の具体例について説明する。
【００３８】
図４（Ａ）は、ミラー角が調整される前に前方撮影カメラ４が撮影した前方画像Ｉｍを示す。図４（Ａ）の前方画像Ｉｍには、車両の一部であるＡピラー３２と、ダッシュボード３３とが表示されている。
【００３９】
この場合、基準対象移動判定部１６は、前方画像Ｉｍを時系列で比較し、前方画像Ｉｍでの位置が変化しないＡピラー３２及びダッシュボード３３を基準対象物Ｔａｇとみなす。そして、基準対象移動判定部１６は、前方画像Ｉｍ内におけるＡピラー３２及びダッシュボード３３の輪郭（破線３４参照）の座標情報や当該輪郭内の領域の色情報などを記憶する。さらに、基準対象移動判定部１６は、Ａピラー３２及びダッシュボード３３の継ぎ目であってこれらの輪郭線の角度が急激に変化している位置３５Ａを基準対象物Ｔａｇの特徴点として検出する。そして、基準対象移動判定部１６は、基準対象物Ｔａｇの特徴点の位置を断続的に検出してその移動量を監視することにより、基準対象物Ｔａｇの移動の有無を監視する。
【００４０】
図４（Ｂ）は、ミラー角が調整された後に前方撮影カメラ４が撮影した前方画像Ｉｍを示す。図４（Ｂ）では、便宜上、図４（Ａ）において検出した輪郭を示す破線３４及び特徴点を示す位置３５Ａについても図示されている。
【００４１】
この例では、ミラー角の調整により、撮影方向が左下方向にずれている。この場合、基準対象移動判定部１６は、図４（Ｂ）に示す前方画像Ｉｍから検出した基準対象物Ｔａｇの輪郭（一点鎖線３６参照）の特徴点の位置３５Ｂが、前回算出した基準対象物Ｔａｇの特徴点の位置３５Ａと所定距離以上離れていると判断する。図４（Ｂ）では、前方画像Ｉｍの上方向をＸ軸の正方向とし、前方画像Ｉｍの右方向をＹ軸の正方向とした場合に、基準対象物Ｔａｇの特徴点は、Ｘ軸方向に移動量「ｄＸ」だけ移動し、Ｙ軸方向に移動量「ｄＹ」だけ移動している。この場合、基準対象移動判定部１６は、搭乗者がルームミラー１２に接触したと判断する。これにより、ナビゲーション装置１は、加速度センサ６が検出した衝撃がルームミラー１２への操作に起因したものか否かを好適に判定することができる。
【００４２】
あるいは、ナビゲーション装置１が備える基準対象移動判定部１６により、前述の基準対象物の移動検知を実行させることに代えて、サーバ装置７に基準対象物の移動検知を実行させるようにしてもよい。この場合、ナビゲーション装置１は、前方撮影カメラ４が撮影した前方画像Ｉｍをサーバ装置７に常時送信するか、または、加速度センサ６により基準値以上の衝撃を検出した際に、当該衝撃の検出の直前と直後の前方画像Ｉｍを送信する。サーバ装置７は、ナビゲーション装置１より受信した前方画像Ｉｍに基づいて基準対象物の移動検知を実行し、搭乗者がルームミラー１２に接触したと判断した場合に、搭乗者による接触があった旨を含む情報をナビゲーション装置１に送信する。このような形態では、ナビゲーション装置１の処理負荷を軽減することができる。
【００４３】
以上説明したように、第１実施例に係るナビゲーション装置１は、車両に搭載され、基準対象移動判定部１６と、制御部１９とを備える。基準対象移動判定部１６は、搭乗者によるナビゲーション装置１への接触の有無を判定する。制御部１９は、車両に加わる加速度を検出する加速度センサ６により検出された加速度と、基準対象移動判定部１６の判定結果とに基づき、車両の走行状態に関連する事故情報Ｉａを生成してサーバ装置７へ送信する。この場合、制御部１９は、基準対象移動判定部１６によりナビゲーション装置１への接触があると判定された際に加速度センサ６により検出された加速度に基づく事故情報Ｉａの生成及び送信を行わない。このようにすることで、ナビゲーション装置１は、ナビゲーション装置１への接触に起因して生じた加速度に基づき事故情報Ｉａを生成及び送信するのを好適に抑制することができる。
【００４４】
＜第２実施例＞
図５は、第２実施例に係るナビゲーション装置１Ａのブロック構成を示す。第２実施例に係るナビゲーション装置１Ａは、第１実施例に係るナビゲーション装置１の構成要素に加え、地図データを記憶する地図データ記憶部１８を有する。そして、ナビゲーション装置１Ａは、事故情報Ｉａに代えて、加速度センサ６の出力に基づき走行中の道路の路面状況を評価する情報（「路面評価情報Ｉｂ」とも呼ぶ。）を生成し、送信部９によりサーバ装置７へ送信する点で、第１実施例に係るナビゲーション装置１と異なる。
【００４５】
サーバ装置７は、複数の車両から路面評価情報Ｉｂを取得し、道路区間ごとに路面評価情報Ｉｂが示す路面評価を関連付けたデータベース（「路面評価データベース」とも呼ぶ。）を生成する。なお、路面評価データベースは、道路の補修管理などの目的に利用される。
【００４６】
次に、路面評価情報Ｉｂの生成方法について説明する。制御部１９は、加速度センサ６が検出する車両の上下方向（即ち図１のＸ軸方向）の加速度に基づき、車両が道路を走行している際に生じる上下振動量を算出し、車両が走行する道路区間ごとに、当該道路区間の路面状況（詳しくは凹凸具合）の評価を行う。このとき、制御部１９は、現在位置検出部５が測定した現在位置と、地図データ記憶部１８が記憶する地図データとに基づき、車両が現在走行している道路区間を認識する。ここで、上述の地図データは、例えば、道路に相当するリンクと、道路の接続部分（交差点）に相当するノードとにより表された道路データを含んでいる。そして、制御部１９は、車両が道路区間を通過するごとに、通過した道路区間の路面評価に関する情報と、通過した道路区間の識別情報とを含む路面評価情報Ｉｂを生成し、サーバ装置７へ送信する。このとき、制御部１９は、例えば、道路データの各リンクを各道路区間とみなし、リンクに相当する区間を通過するごとに路面評価情報Ｉｂの生成及び送信を行う。
【００４７】
また、基準対象移動判定部１６は、前方画像Ｉｍ内での基準対象物Ｔａｇの位置を監視することで、ルームミラー１２への接触を常時監視する。そして、制御部１９は、車両が通過した道路区間のうち、ルームミラー１２への接触があったと基準対象移動判定部１６が判断した道路区間については、路面評価情報Ｉｂをサーバ装置７へ送信しない。第１実施例でも述べたように、ルームミラー１２への接触があった場合には、車両の振動とは関係なく加速度センサ６が検出する加速度が高くなる。以上を勘案し、第２実施例では、制御部１９は、ルームミラー１２への接触を検知した道路区間については加速度センサ６の出力に基づき路面評価を行うのは妥当ではないと判断し、当該道路区間に対する路面評価情報Ｉｂをサーバ装置７に送信しない。
【００４８】
次に、路面評価情報Ｉｂの生成及び送信に関する具体例について、図６を参照して説明する。
【００４９】
図６（Ａ）は車両が走行する道路区間（ここでは区間Ａ及び区間Ｂ）を含む地図を示し、図６（Ｂ）は、区間Ａ及び区間Ｂを走行時に加速度センサ６が検出する車両の上下方向（即ち図１のＸ軸方向）の加速度を示す。図６（Ａ）において、マーク８Ａ〜８Ｄは、ナビゲーション装置１Ａが搭載される車両の位置の遷移を示す。図６の例では、制御部１９は、各道路区間において計測されたＸ軸方向の加速度の最大値に基づき、当該道路区間の路面評価として「非常に悪い」、「悪い」、「普通」、「良い」の４段階からいずれかを選択する。
【００５０】
まず、制御部１９は、車両が区間Ａを通過した場合、ナビゲーション装置１Ａを搭載した車両が区間Ａを走行している時刻「ｔ１」から時刻「ｔ２」の間に基準対象移動判定部１６がルームミラー１２（即ちナビゲーション装置１）への接触を検知しなかったことから、区間Ａに対応する路面評価情報Ｉｂを生成し、サーバ装置７に送信する。この場合、まず、制御部１９は、ナビゲーション装置１Ａを搭載した車両が区間Ａを走行中に加速度センサ６が計測したＸ軸方向の加速度の最大値（プロットＰ１参照）を認識する。そして、制御部１９は、認識した最大値が評価レベル「普通」に対応する範囲に属すると判断し、評価レベルが「普通」である旨及び区間Ａの識別情報（例えばリンクＩＤ）を路面評価情報Ｉｂとしてサーバ装置７へ送信する。
【００５１】
一方、制御部１９は、車両が区間Ｂを通過した場合、ナビゲーション装置１Ａを搭載した車両が区間Ｂを走行中の時刻「ｔ３」から時刻「ｔ４」の間に基準対象移動判定部１６がルームミラー１２への接触を検知したことから、路面評価情報Ｉｂの生成及び送信を行わない。ここで、ルームミラー１２への接触を検知した期間では、ルームミラー１２を搭乗者が操作した衝撃により、走行中の道路の路面状況とは関係なくＸ軸方向の加速度が急激に上昇している。よって、仮に区間Ｂの路面状況を評価した場合、制御部１９は、区間Ｂでの加速度の最大値（プロットＰ２参照）に基づき、実際の路面状況に基づかない評価レベル「非常に悪い」であると不当に評価することになる。よって、制御部１９は、区間Ｂに関する路面評価情報Ｉｂをサーバ装置７へ送信しないことで、サーバ装置７が記憶する路面評価データベースの正確性が損なわれるのを好適に抑制することができる。
【００５２】
＜変形例＞
以下、第１及び第２実施例に好適な変形例について説明する。以下の変形例は、任意に組み合わせて上述の実施例に適用してもよい。
【００５３】
［変形例１］
ナビゲーション装置１は、基準対象移動判定部１６による前方画像Ｉｍの画像解析によりルームミラー１２への搭乗者の接触を判定した。これに代えて、ナビゲーション装置１は、ルームミラー１２に搭乗者が接触したことを検出するための接触センサを備え、当該接触センサの出力に基づきミラー角度の変化を検知してもよい。
【００５４】
この場合、接触センサは、ルームミラー１２のミラー面上に設けられたタッチパネルであってもよいし、搭乗者がルームミラー１２を角度変更する際に接触するナビゲーション装置１のハウジングあるいはルームミラー１２のレバーに設けられた感圧スイッチなどであってもよい。この場合、制御部１９は、図３のステップＳ１０２において、接触センサの出力信号に基づき、ルームミラー１２（即ちナビゲーション装置１）への接触があると判断した場合に、ルームミラー１２への搭乗者の接触による衝撃に起因して基準値以上の加速度が検出されたと判断し、不揮発性メモリ１５への前方画像Ｉｍの書き込みや事故情報Ｉａの送信処理を行わない。
【００５５】
同様に、第２実施例のナビゲーション装置１Ａは、基準対象移動判定部１６に代えて上述の接触センサを備えてもよい。この場合、制御部１９は、接触センサの出力信号に基づき、ルームミラー１２への接触があると判断した道路区間に対応する路面評価情報Ｉｂの生成及び送信を行わない。
【００５６】
［変形例２］
ナビゲーション装置１、１Ａは、車両に付属する純正のルームミラー１２にナビゲーション装置１を挟み込んで保持するための挟持部１４Ａ〜１４Ｄを備えた。これに代えて、ナビゲーション装置１、１Ａは、挟持部１４Ａ〜１４Ｄを備えず、ルームミラーに内蔵され、車両に付属する純正のルームミラーと交換できるものであってもよい。
【００５７】
他の例では、ナビゲーション装置１、１Ａは、ルームミラー１２に取付けまたは内蔵されるものに限定されず、車両のダッシュボード上に設置されたディスプレイと一体に構成され、搭乗者によりディスプレイが視認しやすい向きに角度を変更自在なナビゲーション装置であってもよい。
【００５８】
さらに別の例では、ナビゲーション装置１、１Ａは、各種操作を入力するための操作キーなどを一体に備えるナビゲーション装置であって、搭乗者が操作キーに接触することで衝撃が発生するものであってもよい。この場合、第１実施例では、制御部１９は、基準値以上の加速度が検知した際に操作キーへの入力があった場合には、検知された加速度が操作キーへのユーザ操作に基づき発生したと判断して事故情報Ｉａの送信を行わない。また、第２実施例では、制御部１９は、操作キーへの入力操作を検知した際に走行中の道路区間に対応する路面評価情報Ｉｂの生成及び送信を行わない。
【００５９】
さらに別の例では、ナビゲーション装置１、１Ａは、経路案内機能を有しないドライブレコーダなどであってもよい。
【００６０】
［変形例３］
第２実施例において、ナビゲーション装置１Ａは、サーバ装置７に路面評価情報Ｉｂを送信する代わりに、決定した路面評価を道路区間ごとに関連付けて地図データとして記憶してもよい。この場合、ナビゲーション装置１Ａは、例えば、記憶した路面評価の情報を参照し、路面評価が所定レベルよりも低い悪路を回避する経路探索等を実行する。
【００６１】
［変形例４］
第２実施例において、ナビゲーション装置１Ａがサーバ装置７に路面評価情報Ｉｂを送信することに代えて、ナビゲーション装置１Ａは、車両が道路を走行している際に生じる上下振動量、および現在位置をサーバ装置７に送信し、サーバ装置７が、通過した道路区間に関する路面評価情報Ｉｂを生成するようにしてもよい。この場合、ナビゲーション装置１Ａは、現在位置検出部５が測定した現在位置と、加速度センサ６が検出する車両の上下方向の加速度に基く上下振動量と、前方撮影カメラ４が撮影した前方画像Ｉｍをサーバ装置７に送信する。サーバ装置７は、第２実施例におけるナビゲーション装置１Ａと同様に、ナビゲーション装置１より受信した前方画像Ｉｍに基づいて基準対象物の移動検知を実行するとともに、ナビゲーション装置１Ａより受信した現在位置、および上下振動量に基づいて路面評価情報Ｉｂを生成する。このとき、サーバ装置７は、基準対象物の移動検知によりルームミラー１２への接触があったと判断した道路区間については、路面評価情報Ｉｂを路面評価データベースに記憶しないようにする。
【００６２】
さらに別の例では、ナビゲーション装置１Ａは、前方画像Ｉｍに代えて、ルームミラー１２に搭乗者が接触したことを検出するための接触センサの出力情報を、サーバ装置７に送信し、サーバ装置７は、受信した接触センサの出力情報に基づいて、ルームミラー１２への接触があったかを判断してもよい。
【００６３】
このような形態では、ナビゲーション装置１の処理負荷を軽減することができる。
【符号の説明】
【００６４】
１  ナビゲーション装置
４  前方撮影カメラ
５  現在位置検出部
１０  ディスプレイ
１１  画像バッファ部
１２  ルームミラー
１５  不揮発性メモリ
１６  基準対象移動判定部
１９  制御部
【図１】
2019194925.tif 000003
【図２】
2019194925.tif 000004
【図３】
2019194925.tif 000005
【図４】
2019194925.tif 000006
【図５】
2019194925.tif 000007
【図６】
2019194925.tif 000008